(57)【要約】【課題】製造作業の煩雑化及び出入する物品の損傷を防止し、かつ外観品質の低下を招来することなく相互連結や固定体への連結を行うこと。【解決手段】上部横フレーム部材１１２は、外方及び下方に開口し、上方が第２ビーム部１１２Ａ３によって覆われた溝状凹部１１２Ａ５を画成し、外側面パネル２０は、外枠１０の外側面を覆うパネル本体２１の上縁部から収容空間１４の内方に向けて延在して第２ビーム部１１２Ａ３の下面との間に目地３０を画成する上部端縁板部２２ａとを有して構成し、第２ビーム部１１２Ａ３には、一端が閉塞して他端が溝状凹部１１２Ａ５に開口し、目地３０に連結ブラケット４０を挿入した状態で取付ボルト１７を螺合させた場合に連結ブラケット４０を保持する雌ネジ孔１１２Ａ６を形成し、連結ブラケット４０を介して螺合させた取付ボルト１７の頭部下面を上部材１１の下面よりも上方に配置させた。【選択図】        図７
2008043496.tif 000002
【特許請求の範囲】
【請求項１】
上下に配置した上部材と下部材との間を側部材によって接続することにより内部に収容空間を画成する外枠を構成し、この外枠の外側面において少なくともその上方となる部位を外側面パネルによって覆うようにした物品棚装置において、
前記上部材は、外側面パネルの上端部に対応する端縁部に少なくともアルミニウムを含む金属材料によって押し出し成形した上部横フレーム部材を備えて構成し、この上部横フレーム部材は、水平方向に沿って延在するフレーム本体とこのフレーム本体の外側面から外方に向けて突出する外方ビーム部とを有し、これらフレーム本体と外方ビーム部との間に外方及び下方に開口する一方、上方が外方ビーム部によって覆われた溝状凹部を画成したものであり、
前記外側面パネルは、外枠の外側面を覆うパネル本体と、このパネル本体の上縁部から外枠の内方に向けて延在することにより前記外方ビーム部の下面との間に目地を画成する端縁板部とを有して構成し、
前記上部横フレーム部材の外方ビーム部には、一端が閉塞する一方、他端が前記外側面パネルの端縁板部に対向する部位において前記溝状凹部に開口し、前記目地に連結ブラケットの一端部を挿入した状態で該連結ブラケットを介して雄ネジ部材を螺合させた場合に当該連結ブラケットを保持する雌ネジ孔を形成し、さらに外方ビーム部の下面と上部材の下面との間には、前記連結ブラケットを介して雌ネジ孔に螺合させた雄ネジ部材の頭部下面を上部材の下面よりも上方に配置させる高さを確保したことを特徴とする物品棚装置。
【請求項２】
前記外側面パネルは、端縁板部を前記上部材の下面よりも上方に配置する態様で外枠の外側面を覆い、かつ端縁板部の下面とパネル本体の内側面との間のパネル空間を前記収容空間に連通させるものであり、さらに前記端縁板部において前記外方ビーム部の雌ネジ孔に対向する部位に、雄ネジ部材の頭部を挿通可能とするネジ頭部挿通孔を有したことを特徴とする請求項１に記載の物品棚装置。
【請求項３】
前記上部横フレーム部材の外方ビーム部は、その上面がフレーム本体の上面と同一の平面となる態様で構成したことを特徴とする請求項１に記載の物品棚装置。
【請求項４】
前記上部横フレーム部材は、フレーム本体から外枠の内方に向けて突出する内方ビーム部をさらに備えて構成し、
前記上部横フレーム部材の内方ビーム部は、雄ネジ部材のネジ部を挿通させるネジ挿通孔を有し、その上面に上面パネルを載置させた状態でこのネジ挿通孔を介して上面パネルの雌ネジ孔に雄ネジ部材を螺合させた場合に当該上面パネルを保持するものであり、
さらに前記内方ビーム部の上面と前記フレーム本体の上面との間に、上面パネルの上面をフレーム本体の上面に合致させる高さを確保したことを特徴とする請求項１に記載の物品棚装置。
【発明の詳細な説明】
【技術分野】
【０００１】
本発明は、上下に配置した上部材と下部材との間を側部材によって接続することにより外枠を構成し、この外枠の外側面において少なくともその上方となる部位を外側面パネルによって覆うようにした物品棚装置に関するもので、より詳細には、相互連結する場合や壁面等の固定体に連結する場合に適用する連結ブラケットの保持構造に関する。
【背景技術】
【０００２】
書棚等の物品棚装置を設置する場合には、例えば設置安定性を高めるため、隣接するものを互いに連結したり、壁面等の固定体に連結することが行われている。物品棚装置を相互に連結する構造としては、互いに並設される外側面パネルに亘って連結ブラケットを配設し、この連結ブラケットを介してそれぞれの外側面パネルにボルトを螺合させることによって物品棚装置を相互に連結するようにしたものが一般的である。しかしながら、この連結構造においては、連結ブラケットやボルトの頭部が外部に露出するため、外観品質を考慮した場合、必ずしも好ましいとはいえない。
【０００３】
こうした点を考慮し、従来においては、物品棚装置の上面を覆う上面パネルと、外側面を覆う外側面パネルとの間に目地を形成するとともに、この目地にスリットを形成し、スリットに連結ブラケットを貫入させた状態でボルトにより連結ブラケットを上面パネルの下面に取り付けるようにした連結構造が提供されている。
【０００４】
この連結構造によれば、連結ブラケットを貫入させるためのスリットが目地に設けてあるため、物品棚装置を単体で設置する場合にもスリットが目立たつことがない。一方、物品棚装置を連結する場合には、連結ブラケットがスリットに貫入されて外部に露出しない。これらの結果、外観品質を損なうことなく隣接する物品棚装置を互いに連結することが可能になる（例えば、特許文献１参照）。
【０００５】
【特許文献１】特公平７−１０２１６５号公報
【発明の開示】
【発明が解決しようとする課題】
【０００６】
ところで、単に、目地のスリットから貫入した連結ブラケットをボルトによって上面パネルの下面に取り付けた場合には、物品棚装置の収容空間に連結ブラケットの先端部やボルトの頭部が突出した状態となる。従って、収容空間に対して物品を出入する際に、これらの突出する連結ブラケットやボルトの頭部に干渉して物品を損傷する虞れがある。このため、特許文献１には、上面パネルの端縁部において連結ブラケットを配置する部分に凹部を形成したものも提供されている。
【０００７】
こうした連結構造によれば、連結ブラケット及びこれを螺合するボルトの頭部が凹部に収容され、収容空間に対して物品を出入する際に連結ブラケットやボルトの頭部が干渉する虞れがなくなり、物品に損傷を来す事態を防止することができるようになる。しかしながら、この連結構造を実現するためには、上面パネルの端縁部に複雑な切削加工が必要となり、物品棚装置の製造作業を煩雑化するのは否めない。
【０００８】
本発明の目的は、上記実情に鑑みて、製造作業の煩雑化及び出入する物品の損傷を防止し、かつ外観品質の低下を招来することなく相互連結や固定体への連結を行うことのできる物品棚装置を提供することにある。
【課題を解決するための手段】
【０００９】
上記目的を達成するため、本発明の請求項１に係る物品棚装置は、上下に配置した上部材と下部材との間を側部材によって接続することにより内部に収容空間を画成する外枠を構成し、この外枠の外側面において少なくともその上方となる部位を外側面パネルによって覆うようにした物品棚装置において、前記上部材は、外側面パネルの上端部に対応する端縁部に少なくともアルミニウムを含む金属材料によって押し出し成形した上部横フレーム部材を備えて構成し、この上部横フレーム部材は、水平方向に沿って延在するフレーム本体とこのフレーム本体の外側面から外方に向けて突出する外方ビーム部とを有し、これらフレーム本体と外方ビーム部との間に外方及び下方に開口する一方、上方が外方ビーム部によって覆われた溝状凹部を画成したものであり、前記外側面パネルは、外枠の外側面を覆うパネル本体と、このパネル本体の上縁部から外枠の内方に向けて延在することにより前記外方ビーム部の下面との間に目地を画成する端縁板部とを有して構成し、前記上部横フレーム部材の外方ビーム部には、一端が閉塞する一方、他端が前記外側面パネルの端縁板部に対向する部位において前記溝状凹部に開口し、前記目地に連結ブラケットの一端部を挿入した状態で該連結ブラケットを介して雄ネジ部材を螺合させた場合に当該連結ブラケットを保持する雌ネジ孔を形成し、さらに外方ビーム部の下面と上部材の下面との間には、前記連結ブラケットを介して雌ネジ孔に螺合させた雄ネジ部材の頭部下面を上部材の下面よりも上方に配置させる高さを確保したことを特徴とする。
【００１０】
また、本発明の請求項２に係る物品棚装置は、上述した請求項１において、前記外側面パネルは、端縁板部を前記上部材の下面よりも上方に配置する態様で外枠の外側面を覆い、かつ端縁板部の下面とパネル本体の内側面との間のパネル空間を前記収容空間に連通させるものであり、さらに前記端縁板部において前記外方ビーム部の雌ネジ孔に対向する部位に、雄ネジ部材の頭部を挿通可能とするネジ頭部挿通孔を有したことを特徴とする。
【００１１】
また、本発明の請求項３に係る物品棚装置は、上述した請求項１において、前記上部横フレーム部材の外方ビーム部は、その上面がフレーム本体の上面と同一の平面となる態様で構成したことを特徴とする。
【００１２】
また、本発明の請求項４に係る物品棚装置は、上述した請求項１において、前記上部横フレーム部材は、フレーム本体から外枠の内方に向けて突出する内方ビーム部をさらに備えて構成し、前記上部横フレーム部材の内方ビーム部は、雄ネジ部材のネジ部を挿通させるネジ挿通孔を有し、その上面に上面パネルを載置させた状態でこのネジ挿通孔を介して上面パネルの雌ネジ孔に雄ネジ部材を螺合させた場合に当該上面パネルを保持するものであり、さらに前記内方ビーム部の上面と前記フレーム本体の上面との間に、上面パネルの上面をフレーム本体の上面に合致させる高さを確保したことを特徴とする。
【発明の効果】
【００１３】
本発明によれば、連結ブラケット及びこれを保持する雄ネジ部材の頭部下面が、上部材に設けた溝状凹部において上部材の下面よりも上方となる部位に収容されることになる。従って、連結ブラケットを適用して相互連結したり、壁面等の固定体へ連結した場合にも、連結ブラケットや雄ネジ部材が外部や収容空間に突出しないため、外観品質が低下する事態や出入する物品に損傷を来す事態を防止することができる。しかも、フレーム本体及び外方ビーム部によって溝状凹部を画成する上方横フレーム部材は、少なくともアルミニウムを含む金属材料によって押し出し成形したものであるため、複雑な横断面形状を有するものであっても容易に成形することが可能であり、その製造作業が煩雑化する事態を招来する虞れもない。
【００１４】
また、本発明によれば、外側面パネルが、端縁板部を上部材の下面よりも上方に配置する態様で外枠の外側面を覆い、かつ端縁板部の下面とパネル本体の内側面との間のパネル空間を収容空間に連通させるものであり、さらに端縁板部において外方ビーム部の雌ネジ孔に対向する部位に、雄ネジ部材の頭部を挿通可能とするネジ頭部挿通孔を有しているため、外方ビーム部の雌ネジ孔に対する雄ネジ部材の螺合作業は、収容空間から外側面パネルのパネル空間及びネジ頭部挿通孔を介して行えば良く、外側面パネルを取り外さなければならない等、他の作業が付随することがないため、容易に行うことが可能である。
【００１５】
また、本発明によれば、上部横フレーム部材の外方ビーム部の上面がフレーム本体の上面と同一の平面となるように構成しているため、両者の間に段差が生じることがなく、物品棚装置の上面を平坦に構成することが可能となる。
【００１６】
さらに、上部横フレーム部材に上面パネルを保持する内方ビーム部を設け、かつこの内方ビーム部の上面とフレーム本体の上面との間に、上面パネルの上面をフレーム本体の上面に合致させる高さを確保しているため、上部横フレーム部材と上面パネルとの間に段差が生じることがなく、物品棚装置の上面を平坦に構成することが可能となる。
【発明を実施するための最良の形態】
【００１７】
以下に添付図面を参照して、本発明に係る物品棚装置の好適な実施の形態について詳細に説明する。
【００１８】
図１及び図２は、本発明の実施の形態である物品棚装置の外観を示したものである。ここで例示する物品棚装置は、例えばＳＯＨＯ（Small Office Home Office）等の室内において書棚として用いられるもので、外枠１０を備えている。
【００１９】
外枠１０は、互いに平行となる態様で上下に配置した上部材１１と下部材１２との間を左右の側部材１３によって接続することにより直方体状に構成したものである。上部材１１は、矩形状を成す上面パネル１１１と、上面パネル１１１の各端縁となる部位に配置した上部横フレーム部材１１２とによって矩形板状に構成したものである。下部材１２は、矩形状を成す下面パネル１２１と、下面パネル１２１の各端縁となる部位に配置した下部横フレーム部材１２２とによって矩形板状に構成したもので、上部材１１との対応する４隅部の間を側部材１３となる縦フレーム部材１３１によって相互に連結することにより、該上部材１１との間に書籍等の物品を収容するための収容空間１４を画成している。
【００２０】
外枠１０の収容空間１４は、左右の側部材１３の間に下部材１２に平行となる態様で複数の棚板１５を適宜架設することにより、所望とする高さ寸法に分割することが可能である。図１及び図２では、棚板１５を２つ架設することにより、外枠１０の収容空間１４を上部収容空間１４Ａ、中間収容空間１４Ｂ、下部収容空間１４Ｃの３つに分割したものを例示している。尚、以下においては便宜上、２つの棚板１５により外枠１０の収容空間１４を３等分したものとして説明を行う。
【００２１】
この外枠１０には、上下方向に延在する外側面のうち、上部収容空間１４Ａ及び下部収容空間１４Ｃの後面側となる外側面にそれぞれ外側面パネル２０が取り付けてある。外側面パネル２０は、図２及び図３に示すように、上部収容空間１４Ａ及び下部収容空間１４Ｃの後面を閉塞する大きさを有した矩形薄板状のパネル本体２１と、パネル本体２１の各縁部からそれぞれ同一の方向に向けて延在した４つの端縁板部２２ａ，２２ｂ，２２ｃ，２２ｄとを一体に構成したもので、左右の端縁板部２２ｃ，２２ｄにそれぞれ上下一対の雌ネジ孔２３を有している。これらの外側面パネル２０は、端縁板部２２ａ，２２ｂ，２２ｃ，２２ｄを収容空間１４の内方に向けた状態で縦フレーム部材１３１の相互間に配置した後、縦フレーム部材１３１を介して端縁板部２２ｃ，２２ｄの雌ネジ孔２３にそれぞれ取付ボルト（図示せず）を螺合させることにより、上部収容空間１４Ａの後面及び下部収容空間１４Ｃの後面を覆う態様で外枠１０に取り付けてある。各外側面パネル２０においてパネル本体２１の内側面と端縁板部２２ａ，２２ｂ，２２ｃ，２２ｄとによって囲まれるパネル空間２４は、それぞれの収容空間１４Ａ，１４Ｃに連通した状態となっている。
【００２２】
一方、上記物品棚装置には、図２に示すように、上部材１１の後面側に位置する上部横フレーム部材（以下、「後方上部横フレーム部材１１２Ａ」という）と、上部収容空間１４Ａの後面を覆う外側面パネル（以下、「上部外側面パネル２０Ａ」という）との間に目地３０が構成してある。
【００２３】
目地３０を構成する後方上部横フレーム部材１１２Ａは、図４及び図５に示すように、一様な横断面形状を有して中空の角柱状に延在するフレーム本体１１２Ａ１と、フレーム本体１１２Ａ１の一方の外側面から外方に向けて延在する第１ビーム部（内方ビーム部）１１２Ａ２と、フレーム本体１１２Ａ１の他方の外側面から外方に向けて延在する第２ビーム部（外方ビーム部）１１２Ａ３とを有したもので、第２ビーム部１１２Ａ３を後方に向けた状態で外枠１０の上部に水平方向に沿って配設してある。
【００２４】
第１ビーム部１１２Ａ２は、フレーム本体１１２Ａ１の外側面において高さ方向のほぼ中央となる部位の全長から水平方向に沿って板状に延設したもので、その適宜箇所にパネル取付ネジ（雄ネジ部材）１６のネジ部１６ａを挿通可能とするネジ挿通孔１１２Ａ４を有している。第１ビーム部１１２Ａ２の上面とフレーム本体１１２Ａ１との上面には、上面パネル１１１の板厚に相当する高さが確保してある。この第１ビーム部１１２Ａ２は、その上面に上面パネル１１１の端縁部を載置させた状態でネジ挿通孔１１２Ａ４を介してパネル取付ネジ１６を螺合させることにより、上面パネル１１１の上面とフレーム本体１１２Ａ１の上面とを合致させた状態で上面パネル１１１を保持している。
【００２５】
第２ビーム部１１２Ａ３は、その上面がフレーム本体１１２Ａ１の上面と同一の平面となる態様でフレーム本体１１２Ａ１の全長に亘る部位に設けたもので、その下面とフレーム本体１１２Ａ１の外側面との間に外方及び下方に開口する一連の溝状凹部１１２Ａ５を画成している。第２ビーム部１１２Ａ３の下面とフレーム本体１１２Ａ１の下面との間には、後述する連結ブラケット４０の板厚と取付ボルト（雄ネジ部材）１７における頭部１７ａの高さとの合計寸法ｈ（図７参照）を収容するに十分な距離Ｈが確保してある。また、第２ビーム部１１２Ａ３のフレーム本体１１２Ａ１からの突出長さは、上述した上部外側面パネル２０Ａにおけるパネル本体２１の外表面から端縁板部２２ａの先端までの距離に一致するように構成してある。
【００２６】
図５からも明らかなように、この第２ビーム部１１２Ａ３は、第１ビーム部１１２Ａ２よりも大きな板厚を有した厚板状に構成してあり、その長手方向の両端部に雌ネジ孔１１２Ａ６を有している。雌ネジ孔１１２Ａ６は、鉛直方向に沿って形成したもので、その下端が第２ビーム部１１２Ａ３の下面に開口する一方、その上端が第２ビーム部１１２Ａ３の内部で閉塞している。
【００２７】
この後方上部横フレーム部材１１２Ａは、Ａｌ−Ｍｇ−Ｓｉ系アルミニウム合金（６Ｎ０１−Ｔ５）等、少なくともアルミニウムを含む金属材料によって押し出し成形法により、上述したフレーム本体１１２Ａ１、第１ビーム部１１２Ａ２、第２ビーム部１１２Ａ３を一体に成形してある。
【００２８】
上述した目地３０は、後方上部横フレーム部材１１２Ａにおける第２ビーム部１１２Ａ３の下面と、上部外側面パネル２０Ａにおいてパネル本体２１の上縁部から延在した端縁板部（以下、「上部端縁板部２２ａ」という）の上面との間に画成されるもので、外枠１０の後面に水平方向に沿って一連となるように形成してある。より具体的には、図５に明示するように、上部端縁板部２２ａの上面と、後方上部横フレーム部材１１２Ａにおける第２ビーム部１１２Ａ３の下面との間に所定の間隙を確保し、かつ上部端縁板部２２ａをフレーム本体１１２Ａ１の下面よりも上方に位置させた状態で上部外側面パネル２０Ａを縦フレーム部材１３１に取り付けることにより、これらの間に一様な高さを有した目地３０を画成するようにしている。
【００２９】
上部外側面パネル２０Ａの上部端縁板部２２ａにおいて後方上部横フレーム部材１１２Ａの第２ビーム部１１２Ａ３に形成した雌ネジ孔１１２Ａ６に対向する部位には、雌ネジ孔１１２Ａ６に螺合する取付ボルト１７の頭部１７ａを挿通させることが可能なネジ頭部挿通孔２２ｅが形成してある。
【００３０】
尚、図１中の符号１８は、下部材１２の下面四隅部からそれぞれ下方に向けて突設した高さ調整を行うことのできる脚部材である。
【００３１】
上記のように構成した物品棚装置を相互に連結する場合には、まず、図６に示すように、同一サイズの物品棚装置を２つ用意するとともに、連結ブラケット４０を２つ用意する。連結ブラケット４０としては、上述した目地３０に挿通可能となる板厚を有した矩形の板状を成し、それぞれの端部にネジ挿通孔４１を有したものを適用することができる。連結ブラケット４０の長さは、目地３０の奥行き寸法を２倍したものよりも僅かに短く設定することが好ましい。一対のネジ挿通孔４１は、軸心間距離が後方上部横フレーム部材１１２Ａにおいて第２ビーム部１１２Ａ３の端面から雌ネジ孔１１２Ａ６の軸心までの距離の２倍と等しく、互いの軸心を結ぶ線の中点が連結ブラケット４０の長手方向軸線の中点に合致する位置に形成したものである。尚、それぞれの物品棚装置は、脚部材１８を適宜操作することにより、予め互いの目地３０が同一の高さ位置となるように調整しておくと良い。
【００３２】
次いで、図５及び図６に示すように、上述の目地３０にそれぞれ連結ブラケット４０の端部を挿入し、個々の端部に設けたネジ挿通孔４１を介して後方上部横フレーム部材１１２Ａの第２ビーム部１１２Ａ３に形成した雌ネジ孔１１２Ａ６に取付ボルト１７を螺合させれば、図７に示すように、この連結ブラケット４０によりそれぞれの後方上部横フレーム部材１１２Ａを介して２つの物品棚装置が互いの後面を接し合わせた状態で相互に連結され、例えばその設置安定性を向上させることが可能となる。
【００３３】
この際、第２ビーム部１１２Ａ３の雌ネジ孔１１２Ａ６に対する取付ボルト１７の螺合作業は、上部収容空間１４Ａから上部外側面パネル２０Ａのパネル空間２４及びネジ頭部挿通孔２２ｅを介して行えば良く、上部外側面パネル２０Ａを取り外さなければならない等、他の作業が付随することがないため、容易に行うことが可能である。しかも、相互連結した後の物品棚装置においては、連結ブラケット４０や取付ボルト１７が外部に露出することがないため、外観品質を損なうことがない。さらに、連結ブラケット４０及び取付ボルト１７の頭部１７ａ下面は、後方上部横フレーム部材１１２Ａに設けた溝状凹部１１２Ａ５においてフレーム本体１１２Ａ１の下面よりも上方となる部位に収容されることになり、物品を収容する上部収容空間１４Ａに突出しないため、上部収容空間１４Ａに物品を出入する際に物品に損傷を来す虞れがない。
【００３４】
またさらに、フレーム本体１１２Ａ１及び第２ビーム部１１２Ａ３によって溝状凹部１１２Ａ５を画成する後方上部横フレーム部材１１２Ａは、少なくともアルミニウムを含む金属材料によって押し出し成形したものであるため、複雑な横断面形状を有するものであっても切削加工を要することなく容易に成形することが可能であり、その製造作業が煩雑化する事態を招来する虞れもない。
【００３５】
因に、上述の物品棚装置を単体で設置する場合には、上部材１１と上部外側面パネル２０Ａとの間に設けた目地３０が外部に露出することになる。しかしながら、上記物品棚装置の目地３０は、一部にのみ不自然に開口するものではなく、外枠１０の後面に水平方向に沿って一連に形成されたものであり、さらに、その内部に開口する第２ビーム部１１２Ａ３の雌ネジ孔１１２Ａ６や上部端縁板部２２ａのネジ頭部挿通孔２２ｅが直接外部に露出することもないため、外観品質を損なう虞れはない。
【００３６】
尚、上述した実施の形態では、２つの物品棚装置を相互連結する態様について例示したが、必ずしもこれに限らず、例えば壁面等の固定体に対して連結することも可能である。すなわち、図８及び図９に示すように、実施の形態で適用した連結ブラケット４０に換えて一端部と他端部とが互いに直交する方向に延在した連結ブラケット４００を適用し、一方の端部を目地３０に挿入して後方上部横フレーム部材１１２Ａの第２ビーム部１１２Ａ３に螺着させた後、物品棚装置を壁際に設置し、さらに他方の端部に設けたネジ挿通孔４０１を介して壁面Ｗに固定ボルト４０２を螺合させれば、実施の形態の物品棚装置と同一の構成ながら、その後面を壁面Ｗに接し合わせた状態でこれを固定設置することが可能である。
【００３７】
また、上述した実施の形態では、２つの物品棚装置を相互連結する場合に互いの後面を外側面として接し合わせるものを例示しているが、外枠において上下方向に延在する外側面であれば、必ずしも後面に限らない。例えば、物品棚装置の左右に位置する外側面に上述の目地を設ければ、それぞれの左右に位置する外側面を接し合わせた状態で２つの物品棚装置を相互に連結することが可能である。
【００３８】
さらに、上述した実施の形態では、後方上部横フレーム部材１１２Ａの第２ビーム部１１２Ａ３とフレーム本体１１２Ａ１との上面を同一の平面となる態様で構成し、さらに第１ビーム部１１２Ａ２の上面とフレーム本体１１２Ａ１の上面との間に上面パネル１１１の板厚に相当する高さを確保するようにしているため、物品棚装置の上面を平坦に構成することが可能となり、その上面全域を物品の載置域として利用することが可能であるが、必ずしもこれに限定されない。
【図面の簡単な説明】
【００３９】
【図１】本発明の実施の形態である物品棚装置を前面側から見た外観斜視図である。
【図２】図１に示した物品棚装置を後面側から見た外観斜視図である。
【図３】図１に示した物品棚装置に適用する外側面パネルを示す斜視図である。
【図４】図１に示した物品棚装置に適用する上部横フレーム部材を示す斜視図である。
【図５】図１に示した物品棚装置の要部を示す断面側面図である。
【図６】図１に示した物品棚装置を相互連結するための連結ブラケットを装着した状態を示す外観斜視図である。
【図７】図１に示した物品棚装置の相互連結状態を示す要部断面側面図である。
【図８】図１に示した物品棚装置を壁面に固定するための連結ブラケットを装着した状態を示す外観斜視図である。
【図９】図１に示した物品棚装置を壁面に固定した状態を示す要部断面側面図である。
【符号の説明】
【００４０】
１０      外枠
１１      上部材
１２      下部材
１３      側部材
１４      収容空間
１７      取付ボルト
１７ａ      頭部
２０Ａ      上部外側面パネル
２１      パネル本体
２２ａ      上部端縁板部
２２ｅ      ネジ頭部挿通孔
２３      雌ネジ孔
２４      パネル空間
３０      目地
４０      連結ブラケット
４１      ネジ挿通孔
１１１      上面パネル
１１２Ａ      後方上部横フレーム部材
１１２Ａ１      フレーム本体
１１２Ａ２      第１ビーム部
１１２Ａ３      第２ビーム部
１１２Ａ４      ネジ挿通孔
１１２Ａ５      溝状凹部
１１２Ａ６      雌ネジ孔
１３１      縦フレーム部材
４００      連結ブラケット
４０１      ネジ挿通孔
４０２      固定ボルト
Ｗ      壁面
【図１】
2008043496.tif 000003
【図２】
2008043496.tif 000004
【図３】
2008043496.tif 000005
【図４】
2008043496.tif 000006
【図５】
2008043496.tif 000007
【図６】
2008043496.tif 000008
【図７】
2008043496.tif 000009
【図８】
2008043496.tif 000010
【図９】
2008043496.tif 000011